(57)【要約】【課題】  本発明は、ＦＰＣを電子機器用筐体などの被取付け対象に着脱可能に取り付ける取付け構造を提供するものである。【解決手段】  かゝる本発明は、ＦＰＣ１０を電子機器用筐体などの被取付け対象２０に着脱可能に取り付ける取付け構造であって、被取付け対象２０側に硬質部材からなる柱状の突起３０を立設させ、この突起３０に、ＦＰＣ１０に穿たれ、かつ突起３０の外周に隙間ができる大きさの取付け穴１１を嵌め込み、突起３０の露出部分に、弾性ストッパ片４０の貫通穴からなり、かつ突起３０の外径により小径の圧入穴４１を圧入させて、ＦＰＣ１０を被取付け対象２０に取り付けるＦＰＣの取付け構造にあり、これによって、ＦＰＣ１０の着脱が簡単かつ迅速にできる一方、ＦＰＣ１０側の損傷を最小限に抑えることができる。【選択図】  図１
2005244081.tif 000002
【特許請求の範囲】
【請求項１】
ＦＰＣを電子機器用筐体などの被取付け対象に着脱可能に取り付ける取付け構造であって、被取付け対象側に硬質部材からなる柱状の突起を立設させ、当該突起に、前記ＦＰＣに穿たれ、かつ前記突起の外周に隙間ができる大きさの取付け穴を嵌め込み、前記突起の露出部分に、弾性ストッパ片の少なくともその底面側に穿った盲穴又は貫通穴からなり、かつ前記突起の外径により小径の圧入穴を圧入させて、前記ＦＰＣを前記被取付け対象に取り付けることを特徴とするＦＰＣの取付け構造。
【請求項２】
前記突起の先端縁部に面取りを施したことを特徴とする請求項１記載のＦＰＣの取付け構造。
【請求項３】
前記圧入穴の外側縁部に面取りを施したことを特徴とする請求項１又は２記載のＦＰＣの取付け構造。
【請求項４】
前記弾性ストッパ片の圧入穴が貫通穴で、当該圧入穴の両外側縁部に面取りを施したことを特徴とする請求項１又は２記載のＦＰＣの取付け構造。
【発明の詳細な説明】
【技術分野】
【０００１】
本発明は、ＦＰＣを電子機器用筐体などの被取付け対象に着脱可能に取り付ける取付け構造に関するものである。
【背景技術】
【０００２】
従来、ＦＰＣ（フレキシブルプリント配線基板）を電子機器用筐体などの被取付け対象にに取り付ける場合、ＦＰＣを粘着テープ（例えば両面粘着テープ）で貼り付けたり（特許文献１）、或いは、ネジと樹脂製のワッシャを用いて固定したりする方法が取られている。
【特許文献１】特開平０６−２９１４７７号公報
【発明の開示】
【発明が解決しようとする課題】
【０００３】
しかしながら、粘着テープによる固定では、ＦＰＣの交換やメンテナンスの面で、取り扱い性が悪いという問題があった。一方、ネジによる固定では、ＦＰＣに外力（基板面と平行な横方向の力や振動など）が加わった場合、ＦＰＣ側のネジ穴部分やワッシャの周囲において、ストレスが集中するため、ＦＰＣの損傷に至るという問題があった。さらに、作業面でも、工具が必要で、迅速な着脱ができず、作業性が悪いという問題もあった。
【０００４】
本発明は、このような従来の問題点に鑑みてなされたもので、基本的には、電子機器用筐体などの被取付け対象側に柱状の突起を設ける一方、ＦＰＣ側には、突起に対して大きめの取付け穴を設けると共に、突起の露出部分に圧入される圧入穴を有する弾性ストッパ片を用意して、この弾性ストッパ片の着脱可能な圧入によって、ＦＰＣの着脱が簡単かつ迅速にでき、また、ＦＰＣ側の損傷を最小限に抑えることができる、優れたＦＰＣの取付け構造を提供するものである。
【課題を解決するための手段】
【０００５】
請求項１記載の本発明は、ＦＰＣを電子機器用筐体などの被取付け対象に着脱可能に取り付ける取付け構造であって、被取付け対象側に硬質部材からなる柱状の突起を立設させ、当該突起に、前記ＦＰＣに穿たれ、かつ前記突起の外周に隙間ができる大きさの取付け穴を嵌め込み、前記突起の露出部分に、弾性ストッパ片の少なくともその底面側に穿った盲穴又は貫通穴からなり、かつ前記突起の外径により小径の圧入穴を圧入させて、前記ＦＰＣを前記被取付け対象に取り付けることを特徴とするＦＰＣの取付け構造にある。
【０００６】
請求項２記載の本発明は、前記突起の先端縁部に面取りを施したことを特徴とする請求項１記載のＦＰＣの取付け構造にある。
【０００７】
請求項３記載の本発明は、前記圧入穴の外側縁部に面取りを施したことを特徴とする請求項１又は２記載のＦＰＣの取付け構造にある。
【０００８】
請求項４記載の本発明は、前記弾性ストッパ片の圧入穴が貫通穴で、当該圧入穴の両外側縁部に面取りを施したことを特徴とする請求項１又は２記載のＦＰＣの取付け構造にある。
【発明の効果】
【０００９】
本発明のＦＰＣの取付け構造によると、弾性ストッパ片の突起に対する圧入の着脱により、簡単かつ迅速なＦＰＣの着脱が可能となる。
つまり、特別な工具なども必要とせず、作業者は、弾性ストッパ片を手にもって、突起に対して着脱させるのみでよく、極めて良好な作業性が得られる。勿論、工場内の生産ラインなどにあっては、作業用ロボットを使用して、弾性ストッパ片を着脱させることも可能である。
【００１０】
また、本発明のＦＰＣの取付け構造では、柱状の突起に対して、ＦＰＣの取付け穴を大きめに穿って、突起の外周に隙間ができる形にしてあるため、弾性ストッパ片により固定されたとき、ＦＰＣの取付け穴の周囲が突起の外周に接することがなく、弾性ストッパ片の下面側で、面的に押さえられることになる。
従って、仮に、ＦＰＣ側に外力（基板面と平行な横方向の力や振動など）が作用しても、そのストレスが取付け穴の縁部に集中することなく、弾性ストッパ片の下面側となる広範囲に分散されるため、ＦＰＣ側の損傷を最小限に抑えることができる。
【発明を実施するための最良の形態】
【００１１】
図１は、本発明に係るＦＰＣの取付け構造の最良の形態の一例を示したものである。
図中、１０はＦＰＣ、２０は電子機器用筐体、硬質基板などの被取付け対象、３０は円柱などの柱状の突起、４０は円盤状の弾性ストッパ片である。
【００１２】
柱状の突起３０は、樹脂ロッドや金属ピンなどの硬質部材からなり、被取付け対象２０側に立設させてある。好ましくは、その先端縁部には、面取りしたテーパー部３１を施しておくとよい。この突起３０の外径Ｄ１は、ＦＰＣ１０の取り付け部分側に穿った取り付け穴１１が嵌め込まれたとき、その外周に適度の隙間ができる大きさとしてある。即ち、取り付け穴１１の外径Ｄ２により、小さめにしてある。
【００１３】
弾性ストッパ片４０は、適度の弾性を有する樹脂成形品からなり、その上下方向には、貫通穴からなる圧入穴４１が設けてある。この圧入穴４１には、上記突起３０が圧入されるため、その内径Ｄ３は突起３０の外径Ｄ１より少々小さめにしてある。この圧入穴４１にあっても、その両外側縁部には、上記した突起３０の先端縁部に対応させて、好ましくは、面取りしたテーパー部４２、４２を施しておくとよい。また、弾性ストッパ片４０の外周縁の上下部分の一部には、取り外し時のフック部となる延設片４３、４３を設けておくとよい。
【００１４】
このような構成からなる、本発明に係るＦＰＣの取付け構造では、先ず、取り付けようとするＦＰＣ１０の取り付け穴１１を、電子機器用筐体などの被取付け対象２０の突起３０にセンター合わせして嵌め込む。なお、このセンター合わせは、目視でも可能であるが、よりスムーズにかつ的確に行うためには、次のようなセンター合わせ手段を講ずるとよい。例えば図２に示すように、被取付け対象２０側の位置決め部（例えば位置決めラインや位置決め枠など）２１を設けて、これにＦＰＣ１０のコーナー部１２を合わせるようにすればよい。又は、図１に示すように、例えば被取付け対象２０側とＦＰＣ１０側にそれぞれ嵌合される位置決め用の小突起３２と小孔１３を、少なくとも１個ずつ、好ましくは左右や上下をなす２個ずつ設け、これらを嵌合させればよい。これにより、簡単かつ確実にセンター合わせを行うことができる。
【００１５】
この後、ＦＰＣ１０の付け穴１１から突出した突起３０の露出部分に、弾性ストッパ片４０の圧入穴４１を位置決めし、押し込めばよい。これにより、ＦＰＣ１０は、簡単かつ迅速に電子機器用筐体などの被取付け対象２０に取り付けられる。
【００１６】
この取り付け状態では、ＦＰＣ１０の取付け穴１１の周囲が突起３０の外周に接することがなく、弾性ストッパ片４０の下面側で、面的に押さえられる。従って、仮に、ＦＰＣ１０側に外力（基板面と平行な横方向の力や振動など）が作用しても、そのストレスが取付け穴１１の縁部に集中することなく、弾性ストッパ片４０の下面側となる広範囲に分散されるため、ＦＰＣ１０側の損傷を最小限に抑えることができる。
【００１７】
この取り付け時、突起３０の先端縁部や弾性ストッパ片４０の両外側縁部に、上記したようにテーパー部３１やテーパー部４２、４２を施しておけば、そのガイド機能によりスムーズな取り付けが可能となる。なお、弾性ストッパ片４０側の両外側縁部にテーパー部４２、４２を施しておけば、弾性ストッパ片４０の裏表に関係なく、いずもの側からも突起３０に圧入することができる利点が得られる。
【００１８】
本発明によるＦＰＣの取付け構造の場合、弾性ストッパ片４０と突起３０との圧入関係によるものであるため、弾性ストッパ片４０の圧入解除で、簡単かつ迅速にＦＰＣ１０を取り外すことができる。このとき、上記したように、弾性ストッパ片４０の外周縁の一部には、フック部となる延設片４３、４３を設けておけば、ＦＰＣ１０側から離間した（浮いた）方の延設片４３を手掛かりとして、簡単に取り外すことができる。これは、圧入力が大きいときに、特に有効である。また、この延設片４３にドライバーなどの簡単な工具の先端を引っ掛けて、取り外すこともできる。
【００１９】
なお、上記本発明の形態では、弾性ストッパ片４０の圧入穴４１は、貫通穴の場合であったが、本発明は、これに限定されず、底面側に穿った盲穴でもよい。この場合も、外側縁部にテーパー部４２を設けるものとする。また、突起３０の外形、ＦＰＣ１０の取付け穴１１、弾性ストッパ片４０の圧入穴４１は、通常円形のものが好ましいが、本発明は、これに限定されず、角形のものであってもよく、その作用、効果は同様に得られる。
【図面の簡単な説明】
【００２０】
【図１】本発明に係るＦＰＣの取付け構造の概略を示した説明図である。
【図２】本発明に係るＦＰＣの取付け構造におけるＦＰＣの位置決めを示した概略説明図である。
【符号の説明】
【００２１】
１０・・・ＦＰＣ、１１・・・取り付け穴、１２・・・ＦＰＣのコーナー部、１３・・・位置決め用の小孔、２０・・・電子機器用筐体などの被取付け対象、２１・・・位置決め部、３０・・・柱状の突起、３１・・・テーパー部、３２・・・位置決め用の小突起、４０・・・弾性ストッパ片、４１・・・圧入穴、４２・・・テーパー部、４３・・・延設片
【図１】
2005244081.tif 000003
【図２】
2005244081.tif 000004